(57)【要約】【課題】端子ネジ止め作業時にネジが脱落する懸念を低減するネジ止補助アタッチメントを提供する。【解決手段】ネジ止端子と共にネジを挿通して、ネジを拘止するネジ止補助アタッチメントであって、ネジ止端子のケーブルクランプ部に嵌合される嵌合部と、ネジを挿通させるネジ挿通孔とを備え、ネジ挿通孔の挿通孔平面は、自由状態において、ネジ止端子の端子孔平面と所定の角度を為し、ネジ締めされた状態において、ネジ止端子の端子孔平面と略当接するネジ止補助アタッチメントとする。【選択図】図１
2010135266.tif 000002
【特許請求の範囲】
【請求項１】
ネジ止端子と共にネジを挿通して、前記ネジを拘止するネジ止補助アタッチメントであって、
前記ネジ止端子のケーブルクランプ部に嵌合される嵌合部と、
前記ネジを挿通させるネジ挿通孔と、を備え、
前記ケーブルクランプ部に嵌合された場合に、
前記ネジ挿通孔の挿通孔平面は、
自由状態において、前記ネジ止端子の端子孔平面と所定の角度を為し、
ネジ締めされた状態において、前記ネジ止端子の端子孔平面と略当接する
ことを特徴とするネジ止補助アタッチメント。
【請求項２】
請求項１に記載のネジ止補助アタッチメントにおいて、
前記ネジが前記ネジ止端子の端子孔と前記ネジ挿通孔とに挿通された状態で、前記ネジ挿通孔が、前記ネジの挿入方向と垂直な面におけるネジ可動面積を、前記端子孔の面積よりも小さくする
ことを特徴とするネジ止補助アタッチメント。
【請求項３】
請求項１又は請求項２に記載のネジ止補助アタッチメントにおいて、
前記ネジが前記端子孔と前記ネジ挿通孔とに挿通された状態で、前記端子孔の内縁と前記ネジ挿通孔の内縁とで、前記ネジを拘止するように、前記嵌合部が前記ケーブルクランプ部の中心軸方向に摺動可能である
ことを特徴とするネジ止補助アタッチメント。
【請求項４】
請求項１乃至請求項３のいずれか一項に記載のネジ止補助アタッチメントにおいて、
前記ネジが前記端子孔と前記ネジ挿通孔とに挿通された状態で、前記端子孔の内縁と前記ネジ挿通孔の内縁とで、前記ネジを拘止するように、前記嵌合部が前記ケーブルクランプ部の中心軸に対して回動可能である
ことを特徴とするネジ止補助アタッチメント。
【請求項５】
請求項１乃至請求項４のいずれか一項に記載のネジ止補助アタッチメントにおいて、
前記嵌合部は、リン青銅からなり、前記ケーブルクランプ部に脱着可能に嵌合される
ことを特徴とするネジ止補助アタッチメント。
【請求項６】
請求項１乃至請求項５のいずれか一項に記載のネジ止補助アタッチメントにおいて、
前記ネジ挿通孔を形成する挿通孔形成部の少なくとも一部が導電性材料からなり、
前記嵌合部は、前記ネジ挿通孔が前記ネジの挿入向きにおける前記端子孔の下方側になるように、前記ケーブルクランプ部に嵌合される
ことを特徴とするネジ止補助アタッチメント。
【請求項７】
請求項１乃至請求項５のいずれか一項に記載のネジ止補助アタッチメントにおいて、
前記嵌合部は、前記ネジ挿通孔が前記ネジの挿入向きにおける前記端子孔の上方側になるように、前記ケーブルクランプ部に嵌合される
ことを特徴とするネジ止補助アタッチメント。
【発明の詳細な説明】
【技術分野】
【０００１】
本発明は、ネジ止端子と共にネジを挿通してネジを拘止するネジ止補助アタッチメントに関する。
【背景技術】
【０００２】
種々の装置の電気ケーブル等を接続する場合に、容易に接続可能かつ電流による発熱等の耐電流性が良好な端子として、例えば圧着端子が知られている。圧着端子を用いると、ネジを端子孔に挿入して、装置側に設けられた雌ネジ孔に対してネジ締めすることで、電気ケーブル等を装置に固定させることができる。
【０００３】
圧着端子を用いて電気ケーブル等を接続して固定させた場合に、電気ケーブル等の引き回しに起因するばね性の力が圧着端子に作用する場合がある。そして、圧着端子に作用する力によって、ネジが回転してネジ固定が緩むことを防止する固定構造が、例えば下記特許文献１に開示されている。
【特許文献１】特開平８−１０６９３４号公報
【発明の開示】
【発明が解決しようとする課題】
【０００４】
電気ケーブルの取り付け場所は様々で、例えば壁向きや天井向きに作業する場合にはネジが取り扱いしにくく、一旦端子に挿入したネジがネジ締め前に抜け落ちたり、ネジ締め時に不安定となることが懸念される。
【０００５】
本発明は、上述の問題点に鑑み為されたものであり、端子ネジ止め作業時にネジが脱落する懸念を低減するネジ止補助アタッチメントを提供する事を目的とする。
【課題を解決するための手段】
【０００６】
本発明にかかるネジ止補助アタッチメントのある態様は、ネジ止端子と共にネジを挿通して、ネジを拘止するネジ止補助アタッチメントであって、ネジ止端子のケーブルクランプ部に嵌合される嵌合部と、ネジを挿通させるネジ挿通孔とを備え、ケーブルクランプ部に嵌合された場合に、ネジ挿通孔の挿通孔平面は、自由状態において、ネジ止端子の端子孔平面と所定の角度を為し、ネジ締めされた状態において、ネジ止端子の端子孔平面と略当接する。
【０００７】
また、本発明にかかるネジ止補助アタッチメントのある態様は、好ましくはネジがネジ止端子の端子孔とネジ挿通孔とに挿通された状態で、ネジ挿通孔が、ネジの挿入方向と垂直な面におけるネジ可動面積を、端子孔のよりも小さくしてもよい。
【０００８】
また、本発明にかかるネジ止補助アタッチメントのある態様は、さらに好ましくはネジが端子孔とネジ挿通孔とに挿通された状態で、端子孔の内縁とネジ挿通孔の内縁とで、ネジを拘止するように、嵌合部がケーブルクランプ部の中心軸方向に摺動可能であってもよい。
【０００９】
また、本発明にかかるネジ止補助アタッチメントのある態様は、さらに好ましくはネジが端子孔とネジ挿通孔とに挿通された状態で、端子孔の内縁とネジ挿通孔の内縁とで、ネジを拘止するように、嵌合部がケーブルクランプ部の中心軸に対して回動可能であってもよい。
【００１０】
また、本発明にかかるネジ止補助アタッチメントのある態様は、さらに好ましくは嵌合部が、リン青銅からなり、ケーブルクランプ部に脱着可能に嵌合されてもよい。
【００１１】
また、本発明にかかるネジ止補助アタッチメントのある態様は、さらに好ましくはネジ挿通孔を形成する挿通孔形成部の少なくとも一部が導電性材料からなり、嵌合部は、ネジ挿通孔がネジの挿入向きにおける端子孔の下方側になるように、ケーブルクランプ部に嵌合されてもよい。
【００１２】
また、本発明にかかるネジ止補助アタッチメントの他の態様は、好ましくは嵌合部が、ネジ挿通孔がネジの挿入向きにおける端子孔の上方側になるように、ケーブルクランプ部に嵌合されてもよい。
【発明の効果】
【００１３】
端子ネジ止め作業時にネジが脱落する懸念を低減するネジ止補助アタッチメントを提供できる。
【発明を実施するための最良の形態】
【００１４】
以下に説明する実施形態では、電気ケーブル接続端に使用されているネジ締めタイプの端子部（例えば圧着端子）に取り付け、端子と同様のネジ孔を有し、ネジ孔はネジ挿入方向に所定の傾き角を設け、外部から端子に容易に脱着できるような円筒構造を有するアタッチメントについて説明する。
【００１５】
このアタッチメントを端子部に装着するだけで、ネジ取り付けや取り外しの際のネジの落下や不安定等を低減することが可能となる。また、ネジ締め後に、端子部等に加わる種々の応力や振動等により、時間の経過に伴い締めたネジが緩む懸念も低減できる。
【００１６】
圧着端子等の電気ケーブル端子本体に装着できるようにアタッチメントのかしめ部は、典型的には円筒形状とし、その先端部はケーブル端子とほぼ同様のネジ孔と平面形状とを有するものとする。
【００１７】
このアタッチメントを装着すると、ネジ締めしない状態ではアタッチメント先端が開くので、ネジ孔の中心軸がずれる等により実質的に孔径が狭くなり、ネジが引っかかることで落下を防ぐことができる。また、ネジ締めして接続した状態ではアタッチメント先端が閉じて、ネジ孔の中心軸が端子と合い、典型的にはほぼ同じ孔径となるためネジ締め作業が容易となる。
【００１８】
さらに、可撓性を有する部材でアタッチメントを構成すれば、ネジ締め後にネジが緩みかけた場合においても、アタッチメントがネジの緩み具合に応じて適度な力をネジに付勢する。このような力はネジ抜け方向に付勢されるので、ネジは圧接力をネジ孔等から得ることができ、この圧接力によりネジの回転が抑制されてさらにネジが緩むことを抑制することが可能である。すなわち、この場合にはアタッチメントは、いわばワッシャのような機能を有するものとなる。
【００１９】
（第一の実施形態）
以下図面に基づいて、第一の実施形態にかかるアタッチメントの構造と機能とについて説明することとする。図１は、装置６００のネジ孔（雌ネジ孔ともいう）６１０に端子付電気ケーブル１００をネジ止めにより接続する様子を説明する概念図である。ワッシャ７１０が装着されたネジ７００は、端子付電気ケーブル１００の圧着端子１１０と本発明の実施品にかかるネジ止補助アタッチメント１５０とを介して、装置６００と端子付電気ケーブル１００とが導通するようにネジ孔６１０にネジ締めされる。ここで端子付電気ケーブル１００は、電気ケーブル１３０の一端に圧着端子１１０が装着されているものとする。
【００２０】
ネジ止補助アタッチメント１５０は、ネジ７００が挿入可能な程度のネジ挿通孔１４０を有しており、ネジ７００は、ネジ挿通孔１４０と圧着端子１１０の端子孔１１１とに挿通されて、自由な動きを制限される。また、ネジ止補助アタッチメント１５０は、圧着端子１１０のケーブルクランプ部１２０の全部又は一部を包接するように外側に嵌め込まれる嵌合部１６０を有する。すなわち、図１は、ネジ止補助アタッチメント１５０が端子付電気ケーブル１００の圧着端子１１０に嵌め込まれた状態を示すものである。
【００２１】
図２は、ネジ止補助アタッチメント１５０と圧着端子１１０とネジ７００との関係を示す構成説明図である。電気ケーブル１３０の導線１３１は、圧着端子１１０のケーブルクランプ部１２０に挿入されて、ケーブルクランプ部１２０はその一部分が押し潰されるように凹んで導線１３１を固定させる。
【００２２】
ケーブルクランプ部１２０はその一部分が押し潰されても、図２に示すように全体としてほぼ円筒状の形状を有する。ネジ止補助アタッチメント１５０の嵌合部１６０は、一部分が開口した半円筒状の形状を有しており、開口部分の開口大きさを可逆的に広げることができるバネ性を有する。嵌合部１６０は、図面において下側からケーブルクランプ部１２０を包み込むようにして、開口部分を一時的に広げてほぼ円筒状のケーブルクランプ部１２０に嵌合される。
【００２３】
図２に示す例においては、ネジ止補助アタッチメント１５０は、可撓性を有するだけでなく、導電性を有する材料を用いることが好ましい。ネジ止補助アタッチメント１５０を、例えばバネ用リン青銅を用いて作製すれば、適度なバネ性と導電性とを有し、薄くかつ軽量にできるので好ましい。この場合において、必要とされる電気的な接続機能との関係で、ネジ止補助アタッチメント１５０の一部分、例えばネジ挿通孔１４０を形成する周辺部分のみに導電性を持たせることとしてもよい。これにより、アース等の端子付電気ケーブル１００に要求される機能を良好に充足するものとなる。また、ネジ止補助アタッチメント１５０を、銅，ステンレス等を用いて作製してもよい。
【００２４】
ネジ７００は、ネジ止補助アタッチメント１５０が圧着端子１１０に嵌合した状態において、端子孔１１１とネジ挿通孔１４０とに順次挿入される。このため、ネジ７００のネジ径Ｒ１は端子孔１１１の直径よりも小さく、かつネジ挿通孔１４０の直径より小さいものとする。換言すれば、ネジ挿通孔１４０の直径は、ネジ径Ｒ１よりも大きいものとする。
【００２５】
端子孔１１１とネジ挿通孔１４０とに挿入されたネジ７００は、端子孔内縁１１１ａとネジ挿通孔内縁１４０ａとによって動きが拘束される。このため、ネジ７００は、ネジ止補助アタッチメント１５０を用いない圧着端子１１０の端子孔内縁１１１ａのみに挿入された場合に比べて、抜け落ち難くなるだけでなく、ぐらつき等が低減されて安定性が向上する。このため、ネジ締め作業が容易となり確実かつ迅速に電気ケーブル１３０を接続し、ネジ止め固定することが可能となる。
【００２６】
次に、図３を用いてネジ７００が拘止される状態について詳細に説明する。図３は、ネジ止補助アタッチメント１５０が装着された圧着端子１１０について、電気ケーブル１３０の導線１３１方向での断面図を模式的に示す概念図である。図３（ａ）はネジ７００が中心矢印３３０方向に挿通されネジ止め固定される前の自由状態を示す図であり、図３（ｂ）がネジ７００が締め付けられたネジ止め固定状態を示す図である。
【００２７】
図３（ａ）に示すように、ネジ止補助アタッチメント１５０のネジ挿通孔１４０が形成する挿通孔平面３２０は、圧着端子１１０に嵌合された状態において、端子孔１１１が形成する端子孔平面３１０と所定の角度θを成す。所定の角度θが大きすぎると、ネジ止補助アタッチメント１５０自体が妨害するようになるので、ネジ７００をネジ孔６１０に挿入する作業が困難となる。また、所定の角度θが小さすぎると、ネジ７００の抜け落ち防止効果が低減することが懸念される。さらには、所定の角度θが小さすぎると、所望のバネ性が得られずにネジ７００の緩み防止効果が低減されることも懸念される。このため、所定の角度θは、５°乃至３０°程度とすることが好ましく、より好ましくは１０°乃至２０°とすることでさらに良好な作業性等を確保することが可能となる。
【００２８】
また、図３（ｂ）に示すように、ネジ７００が締められてネジ止め固定された状態では、所定の角度θはほぼゼロとなり、端子孔平面３１０と挿通孔平面３２０とが略平行となってほぼ当接する状態となる。これにより、ネジ７００は、ネジ孔６１０に深くネジ止め固定されるものとなる。
【００２９】
ここで、図３（ａ）に戻り、端子孔１１１の直径をＲ２とし、ネジ挿通孔１４０の直径をｒとすれば、ネジ７００を中心矢印３３０向きに挿通可能な孔径Ｒ３は、端子孔１１１のＲ２とｒｃｏｓθとの小さいほうの値で制限されることとなる。すなわち、ネジ７００は、端子孔１１１とネジ挿通孔１４０との２箇所でその動きが制限されるだけではなく、挿通可能な孔径Ｒ３が端子孔１１１の直径Ｒ２よりも小さくなる（Ｒ３＜Ｒ２）ことで、より強く拘止されることとも可能となる。
【００３０】
このため、Ｒ２＞ｒｃｏｓθを満たすようなネジ挿通孔１４０の直径ｒとすることがより好ましいものであるが、ネジ挿通孔１４０の直径ｒと端子孔１１１の直径Ｒ２とを等しく（ｒ＝Ｒ２）してもよい。ネジ締め完了時にはネジ挿通孔１４０と端子孔１１１との孔径が等しくなる。
【００３１】
また、ネジ止補助アタッチメント１５０は、嵌合部１６０において電気ケーブル方向３４０に摺動可能に構成することが好ましい。これにより、ネジ７００がネジ挿通孔１４０に挿通された後に、ネジ止補助アタッチメント１５０を電気ケーブル方向３４０に摺動させて、ネジ７００に対する拘束力をさらに向上させることが可能となる。同様に、ネジ止補助アタッチメント１５０は、嵌合部１６０において電気ケーブル軸中心方向３５０に回動可能に構成してもよい。ネジ止補助アタッチメント１５０の回動により、ネジ挿通孔内縁１４０ａをネジ７００に当接等させて、ネジ７００に対する拘束力をさらに向上させることが可能となる。
【００３２】
図４は、バネ性リン青銅の薄板からネジ止補助アタッチメント部材１５１を打ち抜き（あるいはくり抜き）作製する状態を説明する模式図である。バネ性リン青銅の薄板から打ち抜かれたネジ止補助アタッチメント部材１５１は、嵌合部１６０と、ネジ挿通孔１４０を形成する挿通孔形成部１４１と、湾曲形成部１５２とを有し、中心軸に対して左右対称である。
【００３３】
湾曲形成部１５２は、加熱等により上述した所定の角度θとなるように挿通孔形成部１４１を紙面背面側に湾曲させる。嵌合部１６０の第一側縁１５３と第二側縁１５４とは、嵌合部１６０の開口部分を形成する。また、第一側縁１５３と第二側縁１５４とは、嵌合部１６０が開口部分を除いて全体として略円筒状となるように成形される。嵌合部１６０の軸方向長さは、ケーブルクランプ部１２０と同一でなくてもよく、ネジ止め作業時に嵌合状態が保持できる程度の嵌合強度を有する程度の長さとできる。
【００３４】
また、第一側縁１５３と第二側縁１５４とに、適度な返し部分を設けて、ケーブルクランプ部１２０への脱着作業を容易にするものとしてもよい。また、ケーブルクランプ部１２０に嵌合した場合に、第一側縁１５３と第二側縁１５４とが、対向して当接してもよく任意の距離を隔てて開口部分を形成してもよい。必要とされる嵌合強度に応じて、嵌合部１６０の材料、厚さ、形状、長さ、大きさ等を適宜設計し、所望のバネ性を得ることとできる。
【００３５】
上述したようにネジ止補助アタッチメント１５０は、打ち抜き等によって容易に作製できるだけではなく、種々の電気ケーブル端子に簡単に装着することができ、端子接続作業時のネジ落下を防ぎ、またネジ緩みによるネジ脱落を防ぐので、安全かつ効率的な作業を実現できるものである。また、ネジ止補助アタッチメント１５０は、その一部又は全部を導電性プラスチック等によるものとし、例えば型枠への流し込み等による成形工程を用いて作製してもよい。
【００３６】
（第二の実施形態）
図５は、ネジ止補助アタッチメント１５０（２）と圧着端子１１０（２）とネジ７００（２）との関係を示す構成説明図である。図５においては、第一の実施形態で説明したネジ止補助アタッチメント１５０と対応する部位には対応する符号を付して、説明の重複を避けるため簡略に説明することとする。
【００３７】
電気ケーブル１３０（２）の導線１３１（２）は、圧着端子１１０（２）のケーブルクランプ部１２０（２）に挿入される。ケーブルクランプ部１２０（２）は、その一部分が凹状に押し潰されて導線１３１（２）を固定させる。電気ケーブル１３０（２）は、例えばアース線であってもよい。
【００３８】
ケーブルクランプ部１２０（２）はその一部分が凹状に押し潰されても、図５に示すように全体としてほぼ円筒状の形状を有する。ネジ止補助アタッチメント１５０（２）の嵌合部１６０（２）は、一部分が開口した半円筒状の形状を有しており、開口部分の開口大きさを可逆的に広げたり狭めたりすることができるバネ性を有する。嵌合部１６０（２）は、図面において上側（ネジ７００（２）の挿入側）から嵌め込むようにして、開口部分を一時的に広げてほぼ円筒状のケーブルクランプ部１２０を部分的に包接するように嵌合される。圧着端子１１０（２）は、その大きさと形状とが規格化されているので、その形状と大きさに適合するように嵌合部１６０（２）を作製できる。
【００３９】
図５に示す例においては、ネジ止補助アタッチメント１５０（２）は、好ましくは湾曲形成部１５２（２）と嵌合部１６０（２）とにおいて可撓性を有していればよく、導電性を有する材料を用いて作製する必要はない。このため、ネジ止補助アタッチメント１５０（２）を、例えば絶縁性プラスチックを用いて作製してもよく、適度なバネ性を有するものとできるので好ましい。
【００４０】
ネジ７００（２）は、ネジ止補助アタッチメント１５０（２）が圧着端子１１０（２）に嵌合した状態において、ネジ挿通孔１４０（２）と端子孔１１１（２）とに順次挿入される。このため、ネジ７００（２）のネジ径Ｒ１（２）は端子孔１１１（２）の直径よりも小さく、かつネジ挿通孔１４０（２）の直径より小さいものとする。換言すれば、ネジ挿通孔１４０（２）の直径は、ネジ径Ｒ１（２）よりも大きいものとする。
【００４１】
ネジ挿通孔１４０（２）と端子孔１１１（２）とに挿入されたネジ７００（２）は、端子孔内縁１１１ａ（２）とネジ挿通孔内縁１４０ａ（２）との少なくとも２箇所で動きが拘束される。このため、ネジ７００（２）は、ネジ止補助アタッチメント１５０（２）を用いずに圧着端子１１０（２）の端子孔内縁１１１ａ（２）のみに挿入された場合に比べて、抜け落ち難くなるだけでなく、ぐらつきが低減されて安定性が向上する。従って、ネジ締め作業が容易となり、確実かつ迅速に電気ケーブル１３０（２）をネジ止め固定接続することが可能となる。
【００４２】
なお、ネジ止補助アタッチメント１５０（２）においても図３で説明したように、ネジ止補助アタッチメント１５０（２）のネジ挿通孔１４０（２）が形成する不図示の挿通孔平面が、圧着端子１１０（２）に嵌合された状態において、端子孔１１１（２）が形成する不図示の端子孔平面と所定の角度θを成すように、挿通孔形成部１４１（２）が形成されるものとする。
【００４３】
上述したようにネジ止補助アタッチメント１５０（２）においても、ネジ止補助アタッチメント１５０と同様の機能を有しており同様の作用効果とを奏するものである。また、ネジ止補助アタッチメント１５０（２）は、ネジ７００（２）を挿通する側（図５における上側）から圧着端子１１０（２）に嵌合させることが可能であるので、嵌合作業や脱着作業がさらに容易となるので好ましい。
【００４４】
なお、ネジ止補助アタッチメント１５０，１５０（２）において、湾曲形成部１５２，１５２（２）が可撓性やバネ性を有さない場合には、ネジ７００，７００（２）の締め込み固定により、その締め込み固定位置に挿通孔形成部１４１，１４１（２）が維持される。このため、仮に一度締めたネジ７００，７００（２）が少し緩んだとしても、ネジ７００，７００（２）に力を付勢することがなく、ネジ止補助アタッチメント１５０，１５０（２）は、いわゆるワッシャのような緩み抑制機能を有しない場合も想定される。しかし、この場合においても、ネジ止補助アタッチメント１５０，１５０（２）は、ネジ７００，７００（２）の止め付け及び締め込み作業時に、ネジ７００，７００（２）を一時的に拘止する機能を有するものであり、作業性が向上することとなる。
【００４５】
また、上述したネジ止補助アタッチメント１５０，１５０（２）は各実施形態での説明に限定されるものではなく、その構造と材料とを自明な範囲で適宜変更して用いることができるものである。
【図面の簡単な説明】
【００４６】
【図１】装置のネジ孔に電気ケーブルをネジ止めにより接続する様子を説明する概念図である。
【図２】ネジ止補助アタッチメントと圧着端子とネジとの関係を示す構成説明図である。
【図３】ネジ止補助アタッチメントが装着された圧着端子について、電気ケーブルの導線方向での断面図を模式的に示す図である。
【図４】バネ性リン青銅の薄板からネジ止補助アタッチメント部材を打ち抜き作製する状態を説明する模式図である。
【図５】ネジ止補助アタッチメントと圧着端子とネジとの関係を示す構成説明図である。
【符号の説明】
【００４７】
１００・・端子付電気ケーブル、１１０・・圧着端子、１１１・・端子孔、１１１ａ・・端子孔内縁、１２０・・ケーブルクランプ部、１３０・・電気ケーブル、１３１・・導線、１４０・・ネジ挿通孔、１４０ａ・・ネジ挿通孔内縁、１４１・・挿通孔形成部、１５０・・ネジ止補助アタッチメント、１５１・・ネジ止補助アタッチメント部材、１５２・・湾曲形成部、１５３・・第一側縁、１５４・・第二側縁、１６０・・嵌合部、３１０・・端子孔平面、３２０・・挿通孔平面、３３０・・中心矢印、３４０・・電気ケーブル方向、３５０・・電気ケーブル軸中心、６１０・・ネジ孔、７００・・ネジ、７１０・・ワッシャ。
【図１】
2010135266.tif 000003
【図２】
2010135266.tif 000004
【図３】
2010135266.tif 000005
【図４】
2010135266.tif 000006
【図５】
2010135266.tif 000007